(57)【要約】      （修正有）【課題】猫などの体が柔らかいペットであっても、ペットに対する装着が容易で、使用中に外れることもなく、好適な使用感を維持するペット用ハーネスを提供する。【解決手段】本発明のペット用ハーネス１は、ペットＰとして飼われる四足動物に装着するハーネス本体２とハーネス本体２に取り付けられるリード３とからなるペット用ハーネス１であって、ハーネス本体２には、連結具１０が設けられ、連結具１０によりハーネス本体２の前方端と後方端とが連結されることで、ペットＰの前足が挿通状態となった挿通孔が形成され、連結具１０による締結状態を解除することで挿通孔が解放状態となる構成を備える。【選択図】図１
2018068259.tif 000002
【特許請求の範囲】
【請求項１】
ペットとして飼われる四足動物に装着するハーネス本体と前記ハーネス本体に取り付けられるリードとからなるペット用ハーネスであって、
前記ハーネス本体には、連結具が設けられ、前記連結具によりハーネス本体の前方端と後方端とが連結されることで、ペットの前足が挿通状態となった挿通孔が形成され、前記連結具による締結状態を解除することで前記挿通孔が解放状態となる構成を備えることを特徴とするペット用ハーネス。
【請求項２】
前記ハーネス本体は、ペットの首部を包囲する前帯体と、ペットの胴部を包囲する後帯体と、前記前帯体と後帯体とを繋ぎ且つペットの腹部を覆う腹帯体とを有し、
前記後帯体の外側には、前記前帯体の端部を後帯体に連結することで、ペットの前足が挿通された状態となる挿通孔を形成する連結具が配設されていることを特徴とする請求項１に記載のペット用ハーネス。
【請求項３】
前記連結具により前記前帯体を後帯体に連結することで、前記ハーネス本体が、ペットを包み込むようなハンモック形状となることを特徴とする請求項２に記載のペット用ハーネス。
【請求項４】
前記ハーネス本体がペットから外れることを防ぐべく、前記ハーネス本体をペットに密着させる密着手段を備えていることを特徴とする請求項１〜３のいずれかに記載のペット用ハーネス。
【請求項５】
前記密着手段は、胴部を包囲する前記後帯体であることを特徴とする請求項４に記載のペット用ハーネス。
【発明の詳細な説明】
【技術分野】
【０００１】
本発明は、ペットに装着されて使用されるペット用ハーネスに関する。
【背景技術】
【０００２】
従来、犬などのペットを散歩などに連れて行く際には、ペットの首に巻き付けられた首輪にリード（引き紐）を連結した上で、飼い主がリードの端部に設けられた取っ手などを持って、ペットを散歩させている。
近年では、単に首輪にリードを付けた構造のものではなく、ペットに対する装着性や飼い主の利便性を考えて、様々な形態を有するペット用ハーネス（首輪や胴輪）が開発されている。
【０００３】
例えば、特許文献１は、ペットの首下から胸部までを覆うと共に、２本の前足を挿通する挿通孔を有するハーネス本体を備え、ハーネス本体の両端部に、ペットの背中部で互いに上下に重合して着脱自在に接続される上接続片と下接続片とを有するペット用ベストタイプハーネスを開示する。
【先行技術文献】
【特許文献】
【０００４】
【特許文献１】特開２０１１−２３９７３５号公報
【発明の概要】
【発明が解決しようとする課題】
【０００５】
さて、近年の猫ブームに代表されるように、猫をペットとして飼う人は増えてきている。猫は、屋内・屋外を自由に行き来できるように飼う人も多いが、室内のみで飼う（部屋飼い）の形態をとる飼い主が増えてきている。
散歩や動物病院への通院のために、部屋飼いの猫を屋外に連れ出す場合、猫が勝手に逃げ出さないように、猫にペット用ハーネスを装着する必要がある。
【０００６】
そこで、特許文献１に開示されたペット用ハーネスを、猫に装着することを考えてみることにする。
この特許文献１に開示されたペット用ハーネスは、ハーネス本体の下接続片側端部と下接続片の基部との間にポケットが形成され、該ポケットに上接続片の先端部を挿入するように構成されており、ポケットに上接続片の先端部を挿入することにより、上接続片の先端部が捲れ上がるのを防止できて、外観上の体裁がよくなると共に、上接続片の先端部から捲れて上接続片と下接続片とが外れるのを防止できるものとされている。それ故、特許文献１に開示されたペット用ハーネスは、犬などのペットに使用するに際しては、大変好適なものである。
【０００７】
しかしながら、特許文献１に開示されたペット用ハーネスを、体の柔らかいペット用の動物である猫に装着した際には、以下に示すような若干の不具合が発生することが考えられる。
猫は、上に述べたように、体が非常に柔らかく、また、前足を触られるのを嫌う習性があるために、特許文献１のようなハーネスの場合、その挿通孔に２本の前足を挿通させることが難しい上に、上手く挿入できたとしても、嫌がってハーネスの挿入孔から前足をすり抜けるように外し、ひいてはハーネス自体を体から外してしまうような行動を起こすことが考えられる。
【０００８】
そこで、本発明は、猫などの体が柔らかいペットであっても、ペットに対する装着が容易で、使用中に外れることがないペット用ハーネスを提供することを目的とする。
【課題を解決するための手段】
【０００９】
前記目的を達成するため、本発明においては以下の技術的手段を講じた。
本発明のペット用ハーネスは、ペットとして飼われる四足動物に装着するハーネス本体と前記ハーネス本体に取り付けられるリードとからなるペット用ハーネスであって、前記ハーネス本体には、連結具が設けられ、前記連結具によりハーネス本体の前方端と後方端とが連結されることで、ペットの前足が挿通状態となった挿通孔が形成され、前記連結具による締結状態を解除することで前記挿通孔が解放状態となる構成を備えることを特徴とする。
【００１０】
好ましくは、前記ハーネス本体は、ペットの首部を包囲する前帯体と、ペットの胴部を包囲する後帯体と、前記前帯体と後帯体とを繋ぎ且つペットの腹部を覆う腹帯体とを有し、前記後帯体の外側には、前記前帯体の端部を後帯体に連結することで、ペットの前足が挿通された状態となる挿通孔を形成する連結具が配設されているとよい。
好ましくは、前記連結具により前記前帯体を後帯体に連結することで、前記ハーネス本体が、ペットを包み込むようなハンモック形状となるとよい。
【００１１】
好ましくは、前記ハーネス本体がペットから外れることを防ぐべく、前記ハーネス本体をペットに密着させる密着手段を備えているとよい。
好ましくは、前記密着手段が、胴部を包囲する前記後帯体であるとよい。
【発明の効果】
【００１２】
本発明のペット用ハーネスによれば、猫などの体が柔らかいペットであっても、ペットに対する装着が容易で、使用中に外れることもなく、好適な使用感を維持することが可能となる。
【図面の簡単な説明】
【００１３】
【図１】第１実施形態にかかるペット用ハーネスをペットに装着した状態を示した図である。
【図２】第１実施形態にかかるペット用ハーネスの側面図である。
【図３】第１実施形態にかかるペット用ハーネスの正面図である。
【図４】第１実施形態にかかるペット用ハーネスの展開状態を示した図である。
【図５Ａ】第１実施形態にかかるペット用ハーネスをペットに装着する手順を示した図である（装着開始）。
【図５Ｂ】第１実施形態にかかるペット用ハーネスをペットに装着する手順を示した図である（装着中）。
【図５Ｃ】第１実施形態にかかるペット用ハーネスをペットに装着する手順を示した図である（装着中）。
【図５Ｄ】第１実施形態にかかるペット用ハーネスをペットに装着する手順を示した図である（装着中）。
【図５Ｅ】第１実施形態にかかるペット用ハーネスをペットに装着する手順を示した図である（装着完了）。
【図６】第２実施形態にかかるペット用ハーネスの展開状態を示した図である。
【発明を実施するための形態】
【００１４】
以下、本発明のペット用ハーネス１を図面に基づき説明する。また、本発明のペット用ハーネス１を装着するペットＰとして「猫」を例示して説明するが、ペットＰは猫に限定されず、様々な四足動物が想定される。
なお、以下に説明する実施形態は、本発明を具体化した一例であって、その具体例をもって本発明の構成を限定するものではない。
【００１５】
以降、図１〜図４などに示した「上下」「前後」「左右」をもとに説明を進めることにする。
［第１実施形態］
図１〜図３に示すように、本発明のペット用ハーネス１は、猫に代表されるペットＰを屋外に連れ出す際などにペットＰに装着し、ペットＰが飼い主から離れることを防止するためのものである。また、ペットＰを散歩させるときにも好適なものである。
【００１６】
図２、図３に示す如く、ペット用ハーネス１は、ペットＰ自身に装着されるハーネス本体と、ハーネス本体に一方端が連結され、他方端を飼い主が持つように構成されたリード３（引き紐）からなる。
図１に示すように、ハーネス本体は、ペットＰをその腹部から支えるように装着され、ハーネス本体の前側（後述する前帯体４）は、ペットＰの首から前足の付け根（肩部と呼ぶこともある）に向けて伸びている。そして、肩部を経由して、ハーネス本体の後側へと延びている。また、ハーネス本体の後側（後述する後帯体５）は、ペットＰの腹部から背部（言い換えれば、胴部）を巻き回すように伸びている。ハーネス本体の前側にはリング体７（丸カン）が設けられ、このリング体７に取り付けられた紐体８を介して、ハーネス本体とリード３とが連結されるようになっている。
【００１７】
本願発明は、このハーネス本体に特徴を有するものである。以下、ハーネス本体を主に説明を進める。
ハーネス本体は、ペットＰとして飼われる四足動物に装着されるものであり、このハーネス本体には、連結具１０が設けられ、連結具１０によりハーネス本体の前方端（前帯体４）と後方端（後帯体５）とが連結されることで、ペットＰの前足が挿通状態となった挿通孔１１が形成され、連結具１０による締結状態を解除することで挿通孔１１が解放状態となる構成を備える。
【００１８】
詳しくは、図４に示すように、ペットＰに装着する前のハーネス本体は、床面上に広げて置くことができ、平面視で左右方向に延びる前帯体４、前帯体４から後方へ所定距離離れた位置に設けられていて、左右方向に延びる後帯体５、前帯体４と後帯体５を前後方向に連結する腹帯体６とからなる。これら前帯体４、後帯体５、腹帯体６は、通気性を有する布製であり一体に形成されている。それ故、ハーネス本体は、平面視で『漢字の「工」』の形状を呈するものとなっている。
【００１９】
まず、図４に示すように、ハーネス本体は、前後方向に延びる短冊状の腹帯体６を有している。
この腹帯体６の長さ（前後長さ）は、ペットＰの首部から胴部の中央部までを覆う程度であり、約１５０ｍｍ〜２５０ｍｍ程度の長さを有している。腹帯体６の幅もペットＰの腹部を左右で覆う程度であり、約３０ｍｍ〜５０ｍｍとされている。
【００２０】
腹帯体６は通気性のよい布体やメッシュ体で構成されていて、可撓性を有しており、装着時にペットＰの腹部に密着するようになっている。この腹帯体６は、後述する前帯体４と後帯体５とを連結する連結体でもある。
図４に示す如く、腹帯体６の前端部には左右に延びる長尺の前帯体４が設けられている。
【００２１】
詳しくは、腹帯体６の前端部からやや右上がりに延びるように右前帯体４ａが設けられており、同様に、腹帯体６の前端部からやや左上がりに延びるように左前帯体４ｂが設けられている。前帯体４の長さ（右前帯体４ａと左前帯体４ｂとを合わせた長さ）は、１５０ｍｍ〜３００ｍｍ程度であり、ペットＰ装着時に、首部から前足の付け根（前肩部）まで達する長さとされている。
【００２２】
さらに、本実施形態の場合、前帯体４の前端部から前帯体４より幅狭な第１のテープ帯９ａが延設されており、この第１のテープ帯９ａの先端に、金属製で環状とされたリング体７（左右一対のリング体７）が設けられている。このリング体７には、前述の第１のテープ帯９ａとは別の短尺な第２のテープ帯９ｂが取り付けられており、この第２のテープ帯９ｂの先端（リング体７とは反対側）には、連結具１０のオス部１０ａが取り付けられている。
【００２３】
さらに、左右のリング体７のそれぞれには、紐体８が取り付けられていて、左右のリング体７から伸びる紐体８（左右一対の紐体８）は、ストッパー１３により一本の紐状に集められ、その先には、リード連結具１４を介してリード３の先端が取り付けられるようになっている。
本実施形態の場合、リード連結具１４は、リード３の先端を、ハーネス本体から伸びる紐体８に対して、リード３の軸心周りに回転自在に取り付け可能とするもの（回転カン）となっている。
【００２４】
一方、図４に示す如く、腹帯体６の後端部には、左右に延びる長尺の後帯体５が設けられている。
詳しくは、腹帯体６の後端部からやや右下がりに延びるように右後帯体５ａが設けられており、同様に、腹帯体６の後端部からやや左下がりに延びるように左後帯体５ｂが設けられている。
【００２５】
後帯体５の長さ（右後帯体５ａと左後帯体５ｂとを合わせた長さ）は、３５０ｍｍ〜５００ｍｍ程度であり、ペットＰへの装着時に、胴部を巻き回し可能な長さとされている。後帯体５は、前帯体４よりも長く、左右方向に延設された部分を有している。後帯体５において、前帯体４よりも長くなった部位を「延設部」と考えることもできる。後帯体５の幅は３０ｍｍ〜４０ｍｍとされている。
【００２６】
後帯体５の先端部には、ペットＰの胴部右側から巻き上がってきた右後帯体５ａと、ペットＰの胴部左側から巻き上がってきた左後帯体５ｂとの締結させるための面ファスナー１２が設けられている。面ファスナー１２は後帯体５の長手方向に数ｃｍの長さを有しているため、ペットＰの胴回りの大きさに左右されずに、確実に、右後帯体５ａと左後帯体５ｂとを締結することが可能となる。
【００２７】
この後帯体５が、ペットＰの胴部を巻くようにして締結されることで、ハーネス本体がペットＰ自身に密着し、その密着状態を維持するため、ハーネス本体からペットＰがすり抜けることを確実に防止することが可能となる。
後帯体５の外側中途部、言い換えれば、後帯体５の先端部より離れた部分、他に言い換えれば、後帯体５における延設部の基端側に、連結具１０のメス部１０ｂが取り付けられている。
【００２８】
なお、ハーネス本体（腹帯体６、前帯体４、後帯体５など）の寸法に関しては、一例であり、ペットＰの大きさによって、適宜変更可能である。
なお、前帯体４の説明において記載したリード３であるが、本実施形態の場合、その種類や形態は問わない。図２，３に示すように、リング体７から延びる紐体８に先端が結ばれ、基端を飼い主が把持できるようなものであればよい。このリード３は固定長のものであっても良く、中途部に巻き取り部を備えた長さ伸縮自在のものであってもよい。
【００２９】
次に、以上述べたペット用ハーネス１の使用態様について述べる。
まず、図５Ａに示すように、ハーネス本体を床面上に広げ、平面視で『漢字の「工」』形状に載置する。
その後、図５Ｂに示すように、装着対象であるペットＰを広げたハーネス本体の上におく。このとき、ペットＰの頭が前帯体４の方を向くようにし、右前帯体４ａと右後帯体５ａとの間（言い換えれば、腹帯体６の右側）に、ペットＰの右前足をおく。同様に、左前帯体４ｂと左後帯体５ｂとの間（言い換えれば、腹帯体６の左側）に、ペットＰの左前足をおく。
【００３０】
次に、図５Ｃに示すように、前帯体４に設けられたリンク体から延びる左右一対の紐体８で形成された空間をペットＰの頭が通過するように、紐体８を持ち上げてペットＰの後方側へ持ってゆく。そして、ペットＰの右前帯体４ａをペットＰの右前足の付け根（右肩部）まで持ち上げると共に、左前帯体４ｂをペットＰの左前足の付け根（左肩部）まで持ち上げる。
【００３１】
この状態は、紐体８を上方へ引っ張り上げることで維持可能となっている。
図５Ｃの状態を維持しつつ、図５Ｄに示すように、ペットＰの胴部右側から右後帯体５ａを巻き上げ、ペットＰの胴部左側から左後帯体５ｂを巻き上げてきて、ペットＰの胴部の上頂部（背部）にて、後帯体５の先端にある面ファスナー１２により、右後帯体５ａと左後帯体５ｂとを連結する。このとき、後帯体５がペットＰの胴部に密着するように巻き付けることで、ハーネス本体がペットＰの体に密着するようになる。そのため、猫などの体が柔らかい動物であっても、ハーネス本体からすり抜けたりし、ハーネスがペットＰから外れるといった不都合が生じない。
【００３２】
最後に、図５Ｅに示すように、前帯体４の先端部に取り付けられた連結具１０、本実施形態の場合は、リング体７に取り付けられた第２のテープ帯９ｂの先端部に取り付けられた連結具１０（オス部１０ａ）と、後帯体５の外側中途部に設けられた連結具１０（メス部１０ｂ）を締結する。この連結部は、ペットＰの胴部の左右側方に位置することになる。連結部による、前帯体４と後帯体５の連結後は、ハーネス本体は、ペットＰを下からハンモック状に包み込むようになり（図２を参照）、ペットＰに圧迫感を与えることなく快適な装着感を付与することとなる。
【００３３】
このように、ペットＰの前足を置いたままの状態で、ハーネス本体の一方端（前帯体４の先端部）と他方端（後帯体５の中途部）とが連結されることで、ペットＰの前足が挿通する挿通孔１１が形成されるため、ペットＰの前足を孔に通す行為を行うことをせず、ペットＰの前足が挿通孔１１に挿通した状態を達成することができる。そのため、猫のように、前足を触られるのを嫌う性質を有するペットＰであっても、非常に楽にハーネスを装着することが可能となる。
【００３４】
また、ペットＰの胴部を後帯体５（特に、後帯体５の延設部）が巻き回していることで、ハーネス本体がペットＰに密着する状態を維持できる「密着手段」として作用し、猫のように、体が非常に柔らかいペットＰであっても、ハーネスから前足をすり抜けるように外し、ひいてはハーネス自体を外してしまうことを確実に防ぐことが可能となる。
なお、ハーネス本体の装着の仕方は、上記手順に限定されない。例えば、図５Ｄの操作と図５Ｅの操作を逆にしてもよい。すなわち、連結具１０（オス部１０ａ）と、後帯体５の外側中途部に設けられた連結具１０（メス部１０ｂ）を連結し、ペットＰの前足が挿通する挿通孔１１を形成する。その後、右後帯体５ａと左後帯体５ｂとをペットＰの胴部に巻き回した上で、密着手段を構成してもよい。
［第２実施形態］
次に、本発明のペット用ハーネス１の第２実施形態について述べる。
【００３５】
第２実施形態が第１実施形態と大きく異なる点は、後帯体５が延設部を有さず、前帯体４と略同じ左右長さを有している点にある。そのため、延設部による密着手段の作用を奏さない形態となっている。その代わりに、前帯体４の先端間に架設された紐体１５が、密着手段の役目を行うことになる。
詳しくは、図６に示すように、第２実施形態のハーネスにおいては、前帯体４の左右長さと後帯体５の左右長さとは略同じとされている。その代わりに、前帯体４の先端に設けられたリング体７間に紐体１５が架設されている。
【００３６】
第２実施形態における紐体１５は、左上から左側のリング体７へと延びる紐体１５が、左側のリング体７の中を通って、右側のリング体７へと延び、さらに、右側のリング体７の中を通って、上側に延びるような構成（チョーカー構造）とされている。このような構成において、左側のリング体７と右側のリング体７との間に架け渡された紐体１５が、密着手段の働きをする。
【００３７】
次に、以上述べた第２実施形態にかかるペット用ハーネス１の使用態様について述べる。
第２実施形態のハーネスの装着方法は、第１実施形態のハーネスの装着方法を同じ点が多いため、前出した図５Ａ〜図５Ｅを用いて説明を進めることとする。
まず、図５Ａと同じように、第２実施形態のハーネス本体を床面上に広げ、平面視で『漢字の「工」』形状に載置する。
【００３８】
次に、図５Ｂと同じように、装着対象であるペットＰを、広げた第２実施形態のハーネス本体の上に置く。足の位置は、第１実施形態と略同様とする。
その後、前帯体４と、密着手段として作用する紐体１５との間の空間をペットＰの頭が通過するように、左右一対の紐体１５をペットＰの後方側へ持ってゆき、その上で、ペットＰの右前帯体４ａをペットＰの右前足の付け根（右肩部）まで持ち上げると共に、左前帯体４ｂをペットＰの左前足の付け根（左肩部）まで持ち上げる。
【００３９】
この状態は、第１実施形態の図５Ｃに近いものであり、紐体１５を上方へ引っ張り上げることで維持可能となっている。
その状態を維持しつつ、図５Ｅと同じように、前帯体４の先端部に取り付けられた連結具１０、本実施形態の場合は、リング体７に取り付けられた第２のテープ帯９ｂの先端部に取り付けられた連結具１０（オス部１０ａ）と、後帯部の先端部に設けられた連結具１０（メス部１０ｂ）を締結する。第２実施形態では、後帯体５の延設部がないため、図５Ｄの動作は行わない。
【００４０】
このように、ペットＰの前足を置いたままの状態で、ハーネス本体の前方端（前帯体４の先端部）と後方端（後帯体５の中途部）とが連結されることで、ペットＰの前足が挿通する挿通孔１１が形成され、ペットＰの前足を孔に通す行為を行うことをせず、ペットＰの前足が挿通孔１１に挿通した状態を達成することができる。そのため、第２実施形態のハーネスであっても、猫のように前足を触られるのを嫌う性質を有するペットＰに対し、非常に楽にハーネスを装着することが可能となる。
【００４１】
また、チョーカー構造の一部を成す紐体１５が、ペットＰの首部（首上方部）を巻き回しているため、ハーネス本体がペットＰに密着する状態を維持できる「密着手段」として作用し、猫のように体が非常に柔らかいペットＰであっても、ハーネスから前足をすり抜けるように外し、ひいてはハーネス自体を外してしまうことを確実に防ぐことが可能となる。
【００４２】
なお、今回開示された各実施形態は、すべての点で例示であって制限的なものではないと考えられるべきである。特に、今回開示された各実施形態において、明示的に開示されていない事項は、通常の当業者であれば、容易に想定することが可能な値を採用している。
例えば、本実施形態の説明においては、ペットＰとして猫を例示しているが、他の動物、例えばフェレットなどに、本発明のハーネスを装着しても何ら問題はない。
【００４３】
また、本願発明は、猫などの体の柔らかい動物を対象としているが、比較的猫などより体が硬いとされている、犬など四足動物に適用しても構わない。つまり、犬などを対象にしたペット用ハーネスに、本発明の構成を備えても構わない。
【符号の説明】
【００４４】
１  ペット用ハーネス
２  ハーネス本体
３  リード（引き紐）
４  前帯体（ハーネス本体の前側）
４ａ  右前帯体
４ｂ  左前帯体
５  後帯体（ハーネス本体の後側）
５ａ  右後帯体
５ｂ  左後帯体
６  腹帯体
７  リング体
８  紐体
９ａ  第１のテープ帯
９ｂ  第２のテープ帯
１０  連結具
１０ａ  オス部
１０ｂ  メス部
１１  挿通孔
１２  面ファスナー
１３  ストッパー
１４  リード連結具
１５  紐体
Ｐ  ペット
【図１】
2018068259.tif 000003
【図２】
2018068259.tif 000004
【図３】
2018068259.tif 000005
【図４】
2018068259.tif 000006
【図５Ａ】
2018068259.tif 000007
【図５Ｂ】
2018068259.tif 000008
【図５Ｃ】
2018068259.tif 000009
【図５Ｄ】
2018068259.tif 000010
【図５Ｅ】
2018068259.tif 000011
【図６】
2018068259.tif 000012